(57)【要約】【課題】本発明は、多段載置されたキャビネットを容易に取り出すことのできるラック台車を提供することを課題としている。【解決手段】本発明にかかるラック台車は、略板状の収容物３００を多段に収容すべく収容物３００の両端を載置するための載置棚１３０が設けられ、ラック本体１００に多段に収容された複数の収容物３００を取出口側に押し出す押出手段１１０が設けられている。この複数の載置棚１３０に載置収容された収容物３００を取り出す際には、まず、押出手段１１０によって複数の収容物３００を取出口側に押し出しておき、作業者は、この押し出された収容物３００を容易に把持して、各収容物３００の取出作業を行うことができる。【選択図】図５
2006055230.tif 000002
【特許請求の範囲】
【請求項１】
略板状の収容物を多段に収容するように、収容物の両端を載置するための載置棚が設けられているラック台車であって、
ラック本体には、多段に収容された複数の収容物を取出口側に押し出す押出手段が設けられていることを特徴とするラック台車。
【請求項２】
請求項１記載のラック台車であって、
前記押出手段は、収容物の中央部に当接して、収容物を取出口側に押し出すように設けられていることを特徴とするラック台車。
【請求項３】
請求項１又は２記載のラック台車であって、
前記押出手段は、ラック本体の背面側から取出口側にスライド可能に設けられた押出部材から構成されており、該押出部材には背面側に作業者が把持可能な把持部が設けられていることを特徴とするラック台車。
【請求項４】
請求項１又は２記載のラック台車であって、
前記押出手段は、ラック本体の背面側から取出口側にスライド可能に設けられた押出部材から構成されており、該押出部材は作業者の取出口側からの操作によって背面側から取出口側にスライドするように設けられていることを特徴とするラック台車。
【請求項５】
略板状の収容物を多段に収容するように、収容物の両端を載置するための載置棚が設けられているラック台車であって、
前記載置棚の少なくとも収容物の載置部が、収容物の載置位置よりもラック本体の外側方向に離反できるように設けられていることを特徴とするラック台車。
【請求項６】
請求項５記載のラック台車であって、
前記載置棚は、ラック本体に枢支されていることを特徴とするラック台車。
【請求項７】
略板状の収容物を多段に収容するように、収容物の両端を載置するための載置棚が設けられているラック台車であって、
ラック本体には、多段に収容された複数の収容物を取出口側に押し出す押出手段が設けられており、
前記載置棚の少なくとも収容物の載置部が、収容物の載置位置よりもラック本体の外側方向に離反できるように設けられていることを特徴とするラック台車。
【発明の詳細な説明】
【技術分野】
【０００１】
本発明は、ラック台車に関し、より詳しくは、たとえば略方形状の平板状の樹脂製キャビネットを多段載置して収容、搬送することのできるラック台車に適したものである。
【背景技術】
【０００２】
従来、この種のラック台車としては、ラック本体が複数のパイプによって構成され、キャビネットを載置する載置棚が、両側壁から中央に向けて突設されているものであった。この載置棚は、複数のキャビネットを多段載置するべく、上下方向均等に多段に設けられていた。
【０００３】
そして、キャビネットをラック台車に収容した状態で各作業場所まで搬送して、作業場所において作業者が各キャビネットを取出口側から取出して、各作業が施されるものであった。
【０００４】
このキャビネットの取出しに際しては、作業者は収容されたキャビネットの取出口側の縁部を把持して、キャビネットを引き出すものであるが、キャビネットの背面側の縁部が載置棚から完全に離脱した状態までキャビネットを平行に引き出すことを要するのであった。つまり、キャビネットの背面側の縁部が載置棚から完全に離脱した状態まで引き出さずに載置棚等に当接してしまうと、キャビネットが傷つき、不良品の発生の原因となるのである。また、完全に引き出した瞬間には、キャビネットの背面側の縁部で支えられていた重みが作業者の把持部に作用するため、完全に引き出した瞬間にバランスを失い、他の部材にキャビネットが当接すると、同様に不良品の発生の原因となる。
【０００５】
この取出作業を発明者らは検討したところ、まず、取出開始時には取出口から若干奥まった位置にあるキャビネットの取出口側縁部の中央付近を把持して、一定距離引き出した後に両端を把持してキャビネットを引き出す作業を行っていることを判明した。つまり、一つのキャビネットを引き出すに際して、引き出し開始時から完全に引き出すまでの間に、作業者は複数回キャビネットの把持位置を変更することを行っているのである。また、前述のように、取出開始時に若干奥まった位置にあるキャビネットの取出口側縁部の中央付近を把持する際に他のキャビネットに当接すると、この他のキャビネットに傷を与えるおそれも存在した。
【０００６】
また、上記のような当接によるキズは、下段側の載置棚からキャビネットを引き出す際に、上段の載置棚に当接することによることも判明した。つまり、キャビネットを引き出す際に、キャビネットが傾斜すると、引き出しているキャビネットが上段の載置棚と当接することにより、キャビネットにキズが発生するのである。
【特許文献１】特開平９−６６８３６号公報
【発明の開示】
【発明が解決しようとする課題】
【０００７】
そこで、本発明は、上記の点に着目し、多段載置されたキャビネットを容易に取り出すことのできるラック台車を提供することを課題としている。
【課題を解決するための手段】
【０００８】
本発明にかかるラック台車は、略板状の収容物を多段に収容するように、収容物の両端を載置するための載置棚が設けられているラック台車であって、ラック本体には、多段に収容された複数の収容物を取出口側に押し出す押出手段が設けられていることを特徴とする。
【０００９】
上記構成からなるラック台車にあっては、取出し作業に際して、まず、複数の収容物を押出手段によって取出口側に押し出しておくことにより、取出作業開始時において、作業者は押し出された収容物を容易に把持することが可能となる。特に、複数の収容物を一度に取出口側に押し出しておくことにより、これら複数の収容物の取出し作業を一度の押出作業で簡便ならしめることが可能である。
【００１０】
なお、本発明にあっては、押出手段は、ラック本体に他段に収容された収容物をすべて一度に押し出せる構成を採用することが好ましいが、他段収容された収容物のうち一部（複数）の収容物が押し出されるように設けられていれば足りる。
【００１１】
また、本発明にあっては、押出手段が、収容物の中央部に当接して、収容物を取出口側に押し出すように設けられていることが好ましい。これにより、両端が載置棚に載置された収容物をバランス良く、取出口側に押し出すことができる。
【００１２】
また、本発明にあっては、押出手段が、ラック本体の背面側から取出口側にスライド可能に設けられた押出部材から構成されており、該押出部材には背面側に作業者が把持可能な把持部が設けられていることが好ましい。これにより、作業者が把持部を把持して、押出部材を取出口側に押圧することにより、円滑に収容物を取出口側に押し出すことができる。
【００１３】
また、本発明にあっては、押出手段が、ラック本体の背面側から取出口側にスライド可能に設けられた押出部材から構成されており、該押出部材は作業者の取出口側からの操作によって背面側から取出口側にスライドするように設けられていることが好ましい。これにより、作業者は取出口側からの作業により、押出部材を取出口側にスライドさせることができ、容易に収容物を取出口側に押し出すことができる。
【００１４】
また、本発明に係るラック台車は、略板状の収容物を多段に収容するように、収容物の両端を載置するための載置棚が設けられているラック台車であって、前記載置棚の少なくとも収容物の載置部が、収容物の載置位置よりもラック本体の外側方向に離反できるように設けられていることを特徴とする。
【００１５】
上記構成からなるラック台車にあっては、上段から収容物を引き出した後に、該載置棚の載置部位をラック本体の外側方向に離反させておくことにより、これよりも下段の載置棚に収容された収容物を引き出す際に、収容物が前記載置棚に当接することを防止することができる。
【００１６】
なお、上記構成を採用する場合にあっては、離反させる構造は種々のものが考えられるが、載置棚が、ラック本体に枢支されている構成を採用することが好ましく、これにより簡易な構造により上記利点を奏することができる。
【発明を実施するための最良の形態】
【００１７】
以下に、本発明に係る実施形態について図面を参酌しつつ、以下説明する。
【実施例１】
【００１８】
本発明の実施例１のラック台車を図面を用いて説明する。なお、図１は、本発明の実施例１のラック台車の搬送時における概略的構成を示す正面図であり、図２は、その概略的構成を示す側面断面図である。図３は、同実施例の押出部材の上方におけるスライド機構を説明するための概略的構成を示す正面断面図で、図４は同実施例の押出部材の上方におけるスライド機構を説明するための概略的構成を示す側面断面図である。図５は、同実施例のキャビネット取出し時におけるラック台車の概略的断面側面図である。また、図６は、同実施例のラック台車の概略的要部拡大正面図である。
【００１９】
実施例１のラック台車は、ラック本体１００が、複数のパイプ１００ａが連結具１００ｂをもって全体として箱型状に形成されているものであり、該ラック本体１００の下方には移動手段としての複数の（四つの）車輪２００を有している。ここで、前記車輪２００は基台（図示省略）に取付けられており、該基台にラック本体１００が載置されている。
【００２０】
また、ラック本体１００には、キャビネット３００（収容物）を多段収容するための載置棚１３０が設けられている。ここで、載置棚１３０は、ラック本体１００の両側壁からそれぞれ中央側に向けて突設されており、両側壁の向かい合う一対の載置棚１３０の上にキャビネット３００の両端を載置できるように設けられている。また、ラック本体１００は、載置棚１３０に載置されたキャビネット３００を正面側（取出口側）から取出可能なように、この正面側は、パイプ等が存在しておらず取出口として機能することになる。なお、前記載置棚１３０は、例えば断面が略Ｌ字状の合成樹脂部材から構成することができる。
【００２１】
また、前記載置棚１３０は、ラック本体１００に枢支されており、キャビネット３００の載置位置よりもラック本体１００の外側方向に離反できるように設けられている。つまり、前記載置棚１３０は、Ｌ字状の屈曲部位において、図６に示すように、枢支軸１３１において枢支されており、キャビネット載置状態においては載置部位がラック本体１００の中央側に位置し、キャビネットの取り出し後にはラック本体１００の外側方向に回動して、キャビネット載置部位がラック本体１００の外側方向に離反できるように設けられている。なお、本実施例においては、この載置棚１３０の回動は手動により行うものを図示しているが、キャビネット離脱後に、載置棚１３０の自重や、電動等による強制的な方法により回動するように設けることも適宜設計変更可能な事項である。
【００２２】
また、本実施例において、前記ラック本体１００には、載置棚１３０のキャビネット載置の状態を維持するためのストッパー１３３が設けられており、このストッパー１３３によって載置棚１３０はキャビネット３００を載置している際に、載置部位が下方に回動しないように設けられている。また、本実施例においては、載置棚１３０のキャビネット載置終了後において載置棚１３０がラック本体１００の外側方向に回動し過ぎないためのストッパー１３５が設けられている。
【００２３】
さらに、前記ラック本体１００には、前記多段に収容された複数のキャビネット３００に当接して、これらのキャビネット３００を一括して取出口側に一定距離押し出す押出手段が設けられている。ここで、該押出手段は、キャビネット３００の水平方向の中央部に当接して、キャビネット３００を取出口側に押し出すように設けられた押出部材１１０から構成されている。なお、押出部材１１０は、ラック本体１００を構成する前記パイプと同一部材から構成することが可能である。
【００２４】
該押出部材１１０は、前記載置棚１３０に載置されたキャビネット３００の略中央部に当接しつつラック本体１００の背面側から取出口側にかけて一定距離スライド可能に設けられている。
【００２５】
ここで、該押出部材１１０のスライド機構は、前記ラック本体１００を構成する上面側の中央パイプ１０１及び底面側の中央パイプ１０２にそれぞれ形成された溝部１０１ａ，１０２ａと、この溝部１０１ａ，１０２ａに嵌まり込む押出部材１１０の上端部１１０ａ及び下端部とから構成されており、この押出部材１１０の上端部１１０ａ及び下端部が前記パイプの溝部１０１ａ，１０２ａを摺動することにより、押出部材１１０が背面側から取出口側にかけてスライド可能に設けられている。より詳述すると、図示例の押出部材１１０の上端部１１０ａには、他の部位よりも大きな幅広の鍔部が形成されている（図３及び図４参照）。また、上面側の中央パイプ１０１には下方に溝部１０１ａが刻設されており、該溝部１０１ａには、切欠きが溝部１０１ａ方向に沿って形成され且つその上面が前記押出部材１１０の鍔部の摺動する面となる合成樹脂部材１０５が嵌め込まれている。なお、図示例にあっては、上面側の中央パイプ１０１についてのみ図示しているが、底面側の中央パイプ１０２は、上面側の中央パイプ１０１に対して上下反転するのみで、同様の構造を有する。なお、既述の実施例においては、前述の溝部１０１ａ，１０２ａにグリス等を塗布しておくことが好ましいが、たとえば、前述の溝部１０１ａ，１０２ａにベアリング等を取り付けてスライドをスムーズにすることも可能である。また、押出部材の上端部に回転自在なローラーを取付けることも可能である。また、上記スライド機構は、上記実施例の構造のほか、たとえばレール部材をパイプに付設して、該レール部材をスライド可能なスライド部を押出部材に取付ける方法を採用することも可能である。
【００２６】
また、前記溝部１０１ａ，１０２ａは、図２に示すように、その一端がラック本体１００の背面側で、他端がラック本体１００の中央よりも若干背面側に位置するように形成されており、これにより、押出部材１１０は、背面側から略中央付近まで移動するように設けられている。
【００２７】
また、該押出部材１１０は、取出口側である前記キャビネット３００との当接部１１１には、キャビネット３００の保護のためのゴム部材等からなる保護部材が付設されている。
【００２８】
また、押出部材１１０には、背面側に作業者が把持可能な把持部１１３が設けられており、作業者が該把持部１１３を把持して取出口側にスライドできるように設けらけれている。なお、該把持部１１３は、図示例にあっては、二つ設けられており、この二つの把持部１１３は上下方向中央位置を中心に均等に配されている。
【００２９】
なお、前記押出部材１１０に、押出部材１１０が背面側に位置する際に、前記取出口側への不用意なスライドを規制するスライド規制手段を設けることが好ましい。ここで、このスライド規制手段としては、たとえば、押出部材１１０に設けられた孔部と、押出部材１１０が背面側に位置する際に該孔部に挿脱自在にラック本体１００に取付けられたピンとから構成することが可能である。なお、ラック本体１００側に前記孔部を形成し、押出部材１１０に前記ピンを設けることも可能であり、その他のスライド規制手段を採用することも可能である。また、前記孔部を押出方向（取出方向）に複数設けて、所望の位置に押出部材１１０をスライド規制するように設けることも可能である。また、前記ピンとしては、たとえば断面Ｌ字状のものを用いて、所定の規制位置において該Ｌ字状のピンがラック本体１００に設けられた溝に嵌まり込むことにより、移動を規制するように設けられた構造を採用することも可能である。さらに、押出部材１１０がスライドする溝部に、段差を設けることにより、この段差によってスライド規制手段を構成することも本発明の意図する範囲内である。
【実施例２】
【００３０】
次に、本発明に係るラック台車の実施例２について、図７を参酌しつつ、説明する。なお、図７は、実施例２のラック台車の概略的正面図である。なお、実施例２の説明において、実施例１と同様の構成・機能を有する部分についてはその説明を省略する。
【００３１】
実施例２においては、押出部材１１０は、電動モータ（図示省略）により前記スライドを行うように設けられている。つまり、たとえば押出部材１００に連結された連結部材（例えばチェーン）が巻回されたスプロットを回転するような電動モータを設けることにより、押出部材１１０が電動によりスライドするように設けることも可能である。そして、ラック本体１００の取出口側には、操作部１２０が設けられており、該操作部１２０の操作により、前記電動モータが作動し、押出部材１１０がスライドするように設けられている。なお、操作部１２０としては、従来周知の押圧ボタンによる操作が可能なものを用いれば足りる。
【００３２】
なお、実施例２においては、押出部材が電動モータの作動によりスライドするものについて説明したが、たとえば、ラック本体の取出口側に設けられた操作部と前記押出部材とを、物理的な連結手段によって連結して、操作部の操作によって押出部材が取出口側にスライドするように設けることも可能である。具体的に説明すると、たとえば、図８に示すように、この連結手段としては、押出部材１１０の上端部及び下端部が係合する溝部１０２ｂを摺動する摺動部材１０８と、一端が該摺動部材１０８に連結されるとともに他端が前記操作部（図示省略）に連結された紐体１０９とから構成することができ、操作部の操作により、紐体１０９が前記摺動部材１０８を取出口側に摺動させて、前記押出部材１１０の上下端部が取出口側に移動するように設けることも可能である。なお、この連結手段は、前記構成に限られるものではなく、種々の連結手段を採用することが可能である。
【００３３】
また、上記のように押出部材を取出口側にスライドする連結手段を採用した場合には、前記押出部材が操作部の操作終了後に背面側に強制的に戻されるように設けることが好ましい。具体的には、ラック本体に設けられたバネ等からなる原点復帰手段によって押出部材が、ラック本体の背面側に位置するように設けられており、より具体的には、押出部材が、バネ等からなる弾性手段（原点復帰手段）によって背面側に戻るような力が作用するように設けられている。このため、操作部の操作終了後には、押出部材は原点復帰手段によって背面側に位置することになり、これにより、次のキャビネットの収容作業に際して押出部材を元に戻す作業が不要となる。また、前述のように、押出部材が電動モータの作動によりスライドするものにあっては、たとえば、図９に示すように、押出部材１１０の上端部及び下端部が係合する溝部１０２ｂを摺動する摺動部材１０８と、一端が該摺動部材１０８の一端に連結されるとともに他端が前記操作部（図示省略）に連結された紐体１０９ａと、一端が該摺動部材１０８の他端に連結されるとともに他端が前記操作部（図示省略）に連結された紐体１０９ｂとから構成することも可能である。この場合には、操作部の操作により、紐体１０９ａが前記摺動部材１０８を取出口側に摺動させて、前記押出部材１１０の上下端部が取出口側に移動し、また、操作部の操作により、紐体１０９ｂが前記摺動部材１０８を取出口の反対側（背面側）に摺動させて、前記押出部材１１０の上下端部が取出口反対側に移動するように設けることも可能である。
【００３４】
上記各実施例は上述の構成からなるが、本発明は上記構成に限定されるものではなく、本発明の意図する範囲内において適宜設計変更可能である。
【００３５】
つまり、上記実施形態においては、多段載置された収容物を一括して押し出す押出部材からなるものについて説明したが、たとえば、ラック本体の上半分を押し出す押出部材と、下半分を押し出す押出部材との二つを設けることも本発明の意図する範囲内である。
【００３６】
また、押出部材がスライドすることにより複数の収容物を取出口側に押し出すものについて説明したが、本発明はこれに限定されるものではない。また、上記実施例においては、押し出される複数の収容物が同一距離取出口側に押し出されるものについて説明したが、本発明はこれに限定されるものではない。つまり、たとえば、押出部材の上端部をパイプ本体に回動自在に枢支しておき、該押出部材が傾動することにより、押出部材の下方側に当接する収容物が上側の収容物よりも大きく取出口側に押し出されるものであっても本発明の意図する範囲内である。
【図面の簡単な説明】
【００３７】
【図１】本発明の実施例１のラック台車の搬送時における概略的正面図である。
【図２】同実施例１のラック台車の搬送時における概略的側面断面図である。
【図３】同実施例１の押出部材のスライド機構を説明するための概略的断面正面図である。
【図４】同実施例１の押出部材のスライド機構を説明するための概略的断面側面図である。
【図５】同実施例１のラック台車の取出し時における概略的側面断面図である。
【図６】同実施例１のラック台車の概略的要部拡大正面図である。
【図７】本発明の実施例２のラック台車の搬送時における概略的正面図である。
【図８】本発明の他の実施例の押出部材のスライド機構を説明するための概略的断面側面図である。
【図９】本発明の他の実施例の押出部材のスライド機構を説明するための概略的断面側面図である。
【符号の説明】
【００３８】
１００  ラック本体
１０１  上面側中央パイプ
１０１ａ  溝部
１０２  底面側中央パイプ
１０２ｂ  溝部
１１０  押出部材
１１０ａ  上端部
１１０ｂ  下端部
１１１  当接部
１１３  把持部
１２０  操作部
１３０  載置棚
１３１  枢支軸
２００  車輪
３００  キャビネット
【図１】
2006055230.tif 000003
【図２】
2006055230.tif 000004
【図３】
2006055230.tif 000005
【図４】
2006055230.tif 000006
【図５】
2006055230.tif 000007
【図６】
2006055230.tif 000008
【図７】
2006055230.tif 000009
【図８】
2006055230.tif 000010
【図９】
2006055230.tif 000011